(57)【要約】【課題】  泣き声をだす鷹、鷲の樹脂製又はゴム製の模型の上部又は下部に小型ドローンを設け一体化し、空中を飛ばし、鳩、カラス等の鳥類の糞害を防止する。【解決手段】  マンション、アパート、大規模スーパー、モール、工場、倉庫、各種ベンチのある競技場、一般家屋、駅、公園、人の集まる大きな木のある広場等においてハト、カラス等の鳥類の糞害を防止するために、天敵で声を発する鷹、鷲にドローンを一体化し、空中に飛ばし、鳩、カラスを追い払い、防止する事を特徴としている。【選択図】図１
2019030284.tif 000002
【特許請求の範囲】
【請求項１】
本発明は、鳩、カラス等の天敵である猛禽類の鷹、鷲等の上方、又は下方に小型ドロンを設け、鳩、カラス等の糞害を防止し、鳩、カラス等の鳥類を追い払う事を特徴とする鳴き声をだす鷹・鷲の剥製又は模型を利用したドローン。
【請求項２】
本発明は、猛禽類の樹脂性性又は剥製で鋭い眼球をつけ、鳴き声を出す装置を設けた鷹ないし鷲を設け、その剥製、又は樹脂製の模型の上又か下に小型のドローンを設けて、鳩、カラス等の鳥類を追い払う事を特徴とする  請求項１記載の鳴き声をだす鷹・鷲の剥製又は模型を利用したドローン。
【請求項３】
本発明は、高圧線の鉄塔間、又は電柱間の電線又は電話線等の上部に１〜２本の線を張り、その線に猛禽類の樹脂性又は剥製で鋭い眼球をつけ、鳴き声を出す装置を設けた鷹ないし鷲を設け、その剥製、又は樹脂製の模型の上又か下に小型のドローンを設け、鳩、カラス等の鳥類を追い払う事を特徴とする請求項１又は２記載のどちらか一方の鳴き声をだす鷹・鷲の剥製又は模型を利用したドローン。
【請求項４】
本発明は、マンション、アパート、大規模スーパー、モール、工場、倉庫、各種ベンチのある競技場、一般家屋、駅、公園、人の集まる大きな木のある広場等の上方の周りにワイアーを回し、その張ったワイアーを案内に鷹、鷲の猛禽類を回し、小型ドローンの暴走を防止した鳩、又はカラスの糞害を防止する請求項１〜３に記載のどちらか一つの鳴き声をだす鷹・鷲の剥製又は模型を利用したドローン。
【請求項５】
本発明は、鳩、カラス等の鳥類を追い払うために、天敵である鷹、鷲等の猛禽類に、鳴き声と羽根の羽ばたきを加えた樹脂製又は剥製の模型にドローンを設けたことを特徴とする請求項１〜４記載のどちらか一つの鳴き声をだす鷹・鷲の剥製又は模型を利用したドローン。
【発明の詳細な説明】
【技術分野】
【０００１】  本発明は、鳥類のハト・カラスの天敵である猛禽類の鷲・鷹等で、鳴き声と羽ばたきするゴム製、樹脂製の剥製又は、模型にドローンを取付け一体化し、飛ばしハト・カラスの糞害を防止する鳩とドローンに関するものである。
【背景技術】
【０００２】  近年、遠隔操作により操作され、あるいは搭載された制御装置に記憶された位置に向けて自動制御により飛行する飛行体、いわゆるドロ―ンが注目されている。その構造上、ドローンは操作が簡単で、安定した飛行を容易に達成できることから、マンション、工場、公園、球場、広い運動場等の上空を自由自在に飛ばすことができき、その利点を利用して、鳩、カラスの糞害の防止に利用できればと考えた。【０００３】  鳥類の糞害では、従来から、マンションや家屋等のベランダ内に飛来する鳩、鳥、カラス等による糞害等が問題になっており、これを防止するため、鳩、鳥類が視覚で忌避するという目玉模様風船を掲げることや臭覚用の忌避剤を塗布しておくことや、あるいは威嚇するため猛禽類の声や破裂音を発することが一般的におこなわれている、又、鳩やカラス、鳥類の学習能力によりその効果を持続させることが困難である。その他、回転自在に支承した横桟をベランダの手摺りに設置するもの又、鳩や鳥類がベランダの手摺りに止まることができないようにするため、ベランダの手摺りに線材架設部材を着脱自在に固定し、該部材間に線材を設け、線材には緊張用のバネが付されていて、線材の一端を着脱自在にする方法、又、手摺りの形状が断面円形、こう丸、長方形、コンクリー等の形状があり長方形、コンクリートの場合に線材架設部材の固定具が対応できないという欠点等がある。現在では、マンションのベランダでは樹脂製のネットを張るのが効果があると思われるが、素人では、ネットを張る工事に危険性があり、専門家に依頼すれば高価になる等の欠点があった。
【先行技術文献】
【特許文献】
【０００４】
【特許文献１】実用新案登録第３１９１２７１号
【０００５】
【特許文献２】意匠登録第１５２２３２２号
【発明の概要】
【発明が解決しようとする課題】
【０００６】  本発明は、マンション、大規模スーパー、工場、公園、球場、広い運動場、駅構内、駅前の広場の大きな樹木、電線の下、自転車置き場、駐車場等において、鳥類のハト、カラス等の糞害で被害があり、色々な対策がなされているが、完全に被害をなくすことは無理であり、現状ではネットを張るのが一番効果があると思われる。しかし、素人がネットを張るのは、危険があり、専門業者を頼むしか方法がなく、高価になる欠点があった。そこで、ハトとカラス等の天敵である猛禽類の鷹、鷲等のゴム製、樹脂製の模型、又は剥製を使用し、その下部又は上部に、小型のドローンを取り付け一体化にして、マンション、大規模スーパー、工場、公園、球場、広い運動場、駅構内、駅前の広場の大きな樹木、電線の下、自転車置き場、駐車場等周囲を飛ばす事を考えた、もちろん、猛禽類の鷹、鷲等のゴム製、樹脂製の模型、又は剥製には、鳥類の鳴き声と、羽根の羽ばたきを加えて鷹、鷲が実際に飛んでいる様に製作することでハト、カラスの糞害を無くすことを目的とし、鳩、カラスの糞害による被害と衛生上の防止、特に鳥インフルエンザ等の衛生上、環境上の美化する事が課題である。
【課題を解決するための手段】
【０００７】  本発明は、ハト、カラスの天敵である猛禽類の鷹、鷲の樹脂製又は剥製１を設け、その鷹、鷲の樹脂製、又は剥製１に鳴き声２、と羽ばたき３を設け、猛禽類の鷹、鷲の樹脂製又は剥製１に小型のドローン４を取付け一体化し、猛禽類の鷹、鷲の樹脂製又は剥製１がコントロール装置５で実際に飛べるように設ける。飛んだ鷹、鷲の樹脂製又は剥製１コントロール装置５で安全６に飛ぶように、例えば、マンション、大規模スーパー、工場、公園、球場、広い運動場、駅構内、駅前の広場の大きな樹木、電線の下、自転車置き場、駐車場等９の周囲の上空の周囲にワイヤー１０を張り廻し、ドローン４を誘導し安全を確保する構造にするようにする。そして１日に数回、又は月に数回と周囲を鷹、鷲の樹脂製又は剥製を飛ばすことにより、鳩、カラス等の鳥類６の飛来７を防止し、糞害による被害と鳥インフルエンザ等の病原菌を防止する為である。
【発明の効果】
【０００８】  ハト、カラス、鳥類の天敵である猛禽類の鷹、鷲等の鳴き声と羽ばたきをする樹脂製又は剥製の上部または下部に取付け合体して１日に数回又は月に数回、マンション、大規模スーパー、工場、公園、球場、広い運道場、駅構内、駅前の広場の大きな樹木、電柱、電線の下、自転車置き場、駐車場等周囲の上空の周囲にワイヤーを張り廻し、コントロールのきく小型ドローンを安全に飛ばし、鳩、カラス，鳥類の飛来を防止し、鳩、カラスの糞害を防止する効果が期待できる。
【図面の簡単な説明】
【０００９】
【図１】ドローンの正面図
【図２】ドローンの平面図
【図３】ドローンの右側面図
【図４】マンション等の屋上にワイヤーを張ったドローンを飛ばした図。
【発明を実施するための形態】
【００１０】  鳩、カラスの天敵である猛禽類の鷹、鷲の樹脂製又は剥製を設け、その鷹、鷲の樹脂製、又は剥製に鳴き声と羽ばたきを設け、猛禽類の鷹、鷲の樹脂製又は剥製に小型のドローンを取付け一体化し、猛禽類の鷹、鷲の樹脂製又は剥製がコントロール装置で実際に飛べるように設ける。飛んだ鷹、鷲の樹脂製又は剥製をコントロール装置で安全に飛ぶように、例えば、マンション、大規模スーパー、工場、公園、球場、広い運動場、駅構内、駅前の広場の大きな樹木、電線の下、自転車置き場、駐車場等周囲の上空の周囲にワイヤーを張り廻し、ドローンを誘導して安全を確保する構造にする。そして１日に数回、又は月に数回とワイヤーを案内に周囲を鷹、鷲の樹脂製又は剥製を飛ばすことにより、鳩、カラス等の鳥類の飛来を防止し、糞害による被害と鳥インフルエンザ等の病原菌を防止するようにする。
【００１１】  電柱間の周囲、又は電線の上部にワイヤーを張り、ドローンと連結棒で一体化した鷹、鷲の樹脂製又は剥製をワイヤーを案内にドローンを安全に飛ばし、道にハト、カラスの糞害を落ちないように防止し、道を歩く人間に糞が落ちないように又、道が糞で汚れないように環境、美化にも効果がある。
【符号の説明】
【００１２】    １  鷹、鷲の樹脂製、又は剥製
２  鳴き声
３  羽ばたき
４  ドローン
５  コントロール装置
６  鳩、カラス等の鳥類
７  飛来
８  糞害
９  マンション、大規模スーパー等
１０  ワイヤー
【図１】
2019030284.tif 000003
【図２】
2019030284.tif 000004
【図３】
2019030284.tif 000005
【図４】
2019030284.tif 000006